(57)【要約】      （修正有）【課題】ランプモジュールの取り出し作業を簡単に行うことができ、作業性に優れたランプ着脱装置を得る。【解決手段】ランプ着脱装置は、ランプモジュール８を開口部２２から出し入れする際に把持するハンドル２７を備える。ハンドル２７は、グリップ部２８と、ランプハウジング１４の外に突出するとともにスリット２３ａ、２３ｂを係合部３０ａ，３０ｂと、ランプハウジング１４に支持された支持部２９ａ，２９ｂとを有する。ハンドル２７は、グリップ部２８が倒れ込む第１の位置と、突出するように起立する第２の位置との間で回動可能である。ハンドル２７が第１の位置に回動された状態では、ハンドル２７の係合部３０ａ，３０ｂが固定部２に引っ掛かる。ハンドル２７が第２の位置に回動された状態では、ハンドル２７の係合部３０ａ，３０ｂが固定部から外れるとともにスリット２３ａ、２３ｂと向かい合う。【選択図】図４
2010153233.tif 000002
【特許請求の範囲】
【請求項１】
ランプハウジングと、このランプハウジングに収容された光源と、を有するランプモジュールと、
上記ランプモジュールを出し入れする開口部と、この開口部の縁に開口する複数のスリットとを有するとともに、上記ランプモジュールが取り外し可能に固定される固定部と、
上記開口部に露出するように上記ランプハウジングに設けられ、上記ランプモジュールを上記開口部から出し入れする際に手で把持するハンドルと、を具備し、
上記ハンドルは、
手で握るグリップ部と、上記ランプハウジングの外に突出するとともに上記スリットを通過可能な複数の係合部と、上記ランプハウジングに回動可能に支持された支持部と、を有するとともに、
上記グリップ部が上記ランプハウジングに沿うように倒される第１の位置と、上記グリップ部が上記ランプハウジングから突出するように起立する第２の位置との間で回動可能であり、
上記ハンドルが上記第１の位置に回動された状態では、上記ハンドルの係合部が上記固定部に引っ掛かり、上記ハンドルが上記第２の位置に回動された状態では、上記ハンドルの係合部が上記固定部から離脱して上記スリットと向かい合うことを特徴とするランプ着脱装置。
【請求項２】
上記グリップ部、上記係合部および上記支持部は、一本の線材を予め決められた形状に折り曲げることで互いに一体に形成されていることを特徴とする請求項１に記載のランプ着脱装置。
【請求項３】
上記ハンドルの支持部は、上記グリップ部と上記係合部との間に位置することを特徴とする請求項２に記載のランプ着脱装置。
【請求項４】
上記ハンドルは、ばね性を有することを特徴とする請求項３に記載のランプ着脱装置。
【請求項５】
上記ランプハウジングは、上記ハンドルを上記第１の位置に保持する保持部を有することを特徴とする請求項１に記載のランプ着脱装置。
【請求項６】
上記ランプモジュールを上記固定部に取り外し可能に固定する締め付け部材をさらに備えており、上記締め付け部材は、上記開口部に露出されていることを特徴とする請求項１に記載のランプ着脱装置。
【請求項７】
ランプハウジングと、このランプハウジングに収容された光源と、を有し、画像を生成する光学エンジンブロックに光を照射するランプモジュールと、
上記ランプモジュールを出し入れする開口部と、この開口部の縁に開口する複数のスリットとを有するとともに、上記ランプモジュールが取り外し可能に収容される筐体と、
上記開口部に露出するように上記ランプハウジングに設けられ、上記ランプモジュールを上記開口部から出し入れする際に手で把持するハンドルと、を具備する投射形表示装置であって、
上記ハンドルは、
手で握るグリップ部と、上記ランプハウジングの外に突出するとともに上記スリットを通過可能な複数の係合部と、上記ランプハウジングに回動可能に支持された支持部と、を有するとともに、
上記グリップ部が上記ランプハウジングに沿うように倒される第１の位置と、上記グリップ部が上記ランプハウジングから突出するように起立する第２の位置との間で回動可能であり、
上記ハンドルが上記第１の位置に回動された状態では、上記ハンドルの係合部が上記筐体に引っ掛かり、上記ハンドルが上記第２の位置に回動された状態では、上記ハンドルの係合部が上記筐体から離脱して上記スリットと向かい合うことを特徴とする投射形表示装置。
【請求項８】
上記筐体は、上記開口部を下向きにした姿勢で天井から吊り下げられることを特徴とする請求項７に記載の投射形表示装置。
【請求項９】
上記グリップ部、上記係合部および上記支持部は、一本の線材を予め決められた形状に折り曲げることで互いに一体に形成されていることを特徴とする請求項７に記載の投射形表示装置。
【請求項１０】
上記ハンドルの支持部は、上記グリップ部と上記係合部との間に位置することを特徴とする請求項７に記載の投射形表示装置。
【請求項１１】
上記ハンドルは、ばね性を有することを特徴とする請求項１０に記載の投射形表示装置。
【請求項１２】
上記ランプハウジングは、上記ハンドルを上記第１の位置に保持する保持部を有することを特徴とする請求項７に記載の投射形表示装置。
【請求項１３】
上記ランプモジュールを上記筐体に取り外し可能に固定する締め付け部材をさらに備えており、上記締め付け部材は、上記開口部に露出されていることを特徴とする請求項７に記載の投射形表示装置。
【請求項１４】
上記筐体の開口部は、取り外し可能な蓋で覆われていることを特徴とする請求項１３に記載の投射形表示装置。
【発明の詳細な説明】
【技術分野】
【０００１】
本発明は、例えば投射形表示装置のランプモジュールを着脱するためのランプ着脱装置に関する。さらに、本発明は、取り外し可能なランプモジュールを有する投射形表示装置に係り、特にランプモジュールを投射形表示装置の筐体に着脱するための構造に関する。
【背景技術】
【０００２】
例えばビデオプロジェクタのような投射形表示装置は、画像を生成する光学エンジンブロックと、この光学エンジンブロックに光を照射するランプモジュールと、を備えている。光学エンジンブロックおよびランプモジュールは、投射形表示装置の外郭となる筐体の内部に収容されている。
【０００３】
ランプモジュールは、箱状のランプハウジングと、ランプハウジングの内部に収容されたリフレクタと、リフレクタに支持された光源とを有している。光源としては、高輝度で鮮明な映像を得るために、例えば高圧水銀ランプのような高出力放電ランプが用いられている。
【０００４】
この種のランプモジュールは、光源が劣化したり、あるいは光源が寿命に達して使用不能の状態に至った時に、新たなランプモジュールと交換が可能なように筐体に取り外し可能に固定されている（例えば、特許文献１参照）。
【０００５】
具体的に述べると、従来の投射形表示装置によると、ランプモジュールのランプハウジングは、複数のねじを介して筐体の底壁に固定されている。筐体の天井となる上壁にランプモジュールを筐体に出し入れするための開口部が形成されており、この開口部は、取り外しが可能な外蓋により覆われている。さらに、ランプハウジングは、筐体の開口部と向かい合う上面を有し、この上面に手で把持するハンドルが支持されている。
【０００６】
このような従来の投射形表示装置では、外蓋を筐体から取り外すと、ねじおよびハンドルが開口部を通じて筐体の外に露出する。この状態で、ねじを弛めて筐体に対するランプモジュールの固定を解除した後、ハンドルを手で掴むことにより、ランプモジュールを開口部から筐体の外に取り出すことができる。
【０００７】
一方、投射形表示装置は、例えば、室内の天井から吊り下げて使用することがある。投射形表示装置を天井から吊り下げると、筐体の姿勢が上下に反転するので、筐体の開口部が下向きとなる。このため、投射形表示装置が天井から吊り下げられている時に、ねじによるランプモジュールの固定を解除すると、ランプモジュールが筐体から落下する虞があり得る。
【０００８】
この不具合を解消するため、従来の投射形表示装置は、ランプハウジングに引っ掛かる脱落防止用のストッパを備えている。ストッパは、ランプハウジングに引っ掛かる係合位置と、ランプハウジングから離脱する係合解除位置との間で移動可能に筐体に支持されているとともに、スプリングを介して常に係合位置に向けて付勢されている。
【０００９】
この構成によれば、ストッパが常にランプハウジングに引っ掛かっているので、ねじによるランプモジュールの固定を解除しても、ランプモジュールは筐体に保持される。したがって、ランプモジュールの不意な落下を防止することができる。
【特許文献１】実用新案登録第３０９７９４０号公報
【発明の開示】
【発明が解決しようとする課題】
【００１０】
ランプモジュールの落下を防止するストッパを有する従来の投射形表示装置において、例えば天井に直付けされた筐体からランプモジュールを取り外すには、まず、筐体から外蓋を取り外して開口部を露出させる。この状態で、複数のねじを弛めて筐体に対するランプモジュールの固定を解除する。
【００１１】
次に、一方の手でランプハウジングを下方から支えながら、他方の手でストッパを係合位置から係合解除位置に向けて移動させ、ストッパをランプハウジングから離脱させる。次に、ランプハウジングを支えている一方の手でハンドルを掴み、ランプハウジングを筐体の開口部から引き出す。このことにより、ランプモジュールを筐体から取り出すことができる。
【００１２】
しかしながら、従来の投射形表示装置によると、ねじを弛めた後にストッパをランプハウジングから離脱させる操作と、ハンドルを手で握ってランプモジュールを筐体の下方に引き出す操作とを必要とする。しかも、これら二つの操作は、何等の関連性を有することなく互いに独立して行われる。
【００１３】
この結果、ねじを弛めた後に行われるランプモジュールの取り出し操作が二段階に亘ることになり、ランプモジュールの取り出し作業に手間を要するのを避けられない。
【００１４】
特に、天井に直付けされた投射形表示装置の筐体からランプモジュールを取り外すに当たっては、作業者は、両方の手を頭の上に伸ばして作業を行う必要がある。そのため、作業者は不自然で、かつ不安定な作業姿勢を強いられることになり、作業性がより一層悪くなるといった不具合が生じてくる。
【００１５】
本発明の目的は、ランプモジュールの取り出し作業を片手で簡単に行うことができ、作業性に優れたランプ着脱装置を得ることにある。
【００１６】
本発明の他の目的は、筐体の開口部からランプモジュールを片手で簡単に取り出すことができ、作業性に優れた投射形表示装置を得ることにある。
【課題を解決するための手段】
【００１７】
上記目的を達成するため、本発明の一つの形態に係るランプ着脱装置は、  
ランプハウジングと、このランプハウジングに収容された光源と、を有するランプモジュールと、  
上記ランプモジュールを出し入れする開口部と、この開口部の縁に開口する複数のスリットとを有するとともに、上記ランプモジュールが取り外し可能に固定される固定部と、  
上記開口部に露出するように上記ランプハウジングに設けられ、上記ランプモジュールを上記開口部から出し入れする際に手で把持するハンドルと、を備えている。  
上記ハンドルは、(1)手で握るグリップ部と、(2)上記ランプハウジングの外に突出するとともに上記スリットを通過可能な複数の係合部と、(3)上記ランプハウジングに回動可能に支持された支持部と、を有するとともに、上記グリップ部が上記ランプハウジングに沿うように倒される第１の位置と、上記グリップ部が上記ランプハウジングから突出するように起立する第２の位置との間で回動可能であり、  
上記ハンドルが上記第１の位置に回動された状態では、上記ハンドルの係合部が上記固定部に引っ掛かり、上記ハンドルが上記第２の位置に回動された状態では、上記ハンドルの係合部が上記固定部から離脱して上記スリットと向かい合うこと特徴としている。
【００１８】
上記目的を達成するため、本発明の一つの形態に係る投射形表示装置は、  
ランプハウジングと、このランプハウジングに収容された光源と、を有し、画像を生成する光学エンジンブロックに光を照射するランプモジュールと、  
上記ランプモジュールを出し入れする開口部と、この開口部の縁に開口する複数のスリットとを有するとともに、上記ランプモジュールが取り外し可能に収容される筐体と、  
上記開口部に露出するように上記ランプハウジングに設けられ、上記ランプモジュールを上記開口部から出し入れする際に手で把持するハンドルと、を備えている。  
上記ハンドルは、(1)手で握るグリップ部と、(2)上記ランプハウジングの外に突出するとともに上記スリットを通過可能な複数の係合部と、(3)上記ランプハウジングに回動可能に支持された支持部と、を有するとともに、上記グリップ部が上記ランプハウジングに沿うように倒される第１の位置と、上記グリップ部が上記ランプハウジングから突出するように起立する第２の位置との間で回動可能であり、  
上記ハンドルが上記第１の位置に回動された状態では、上記ハンドルの係合部が上記筐体に引っ掛かり、上記ハンドルが上記第２の位置に回動された状態では、上記ハンドルの係合部が上記筐体から離脱して上記スリットと向かい合うことを特徴としている。
【発明の効果】
【００１９】
本発明によれば、ハンドルを片手で回動させるだけの簡単な操作で、ランプモジュールを開口部から取り出すことができ、作業性が向上する。
【発明を実施するための最良の形態】
【００２０】
以下本発明の実施の形態を、図１ないし図９に基づいて説明する。
【００２１】
図１および図２は、例えばビデオプロジェクタのような投射形表示装置１を開示している。投射形表示装置１は、固定部としての筐体２を備えている。筐体２は、前壁３、上壁４、底壁、左右の側壁および後壁を有する偏平な四角い箱状をなしている。上壁４は、各種の表示ランプや操作ボタンを有する操作部５を備えている。
【００２２】
図２に示すように、筐体２は、光学エンジンブロック７、ランプモジュール８および図示しない電源ユニットを収容している。光学エンジンブロック７は、画像生成装置９、入射光学系１０および投射レンズ系１１を備えている。
【００２３】
画像生成装置９は、例えばビデオカメラやパーソナルコンピュータから入力される画像信号に基づいて画像光を生成する。入射光学系１０は、画像生成装置９にランプモジュール８から放射された光を導くためのものであり、画像生成装置９とランプモジュール８との間に位置している。投射レンズ系１１は、画像生成装置９で生成された画像光を拡大して投射するためのものであり、筐体２の前壁３に露出する前面レンズ１２を備えている。
【００２４】
ランプモジュール８は、光学エンジンブロック７の右隣に位置している。図３に示すように、ランプモジュール８は、ランプハウジング１４、リフレクタ１５および光源の一例である高出力放電ランプ１６を備えている。
【００２５】
ランプハウジング１４は、四角い箱状に形成されている。ランプハウジング１４は、入射光学系１０に向けて開口する光出口１４ａと、筐体２の上壁４の下方に位置する上面１４ｂとを有している。リフレクタ１５は、ランプハウジング１４の内部に収容されている。リフレクタ１５は、光出口１４ａに向けて開口する球面状の光反射面１５ａを有している。
【００２６】
リフレクタ１５の開口端にレンズホルダ１７が取り付けられている。レンズホルダ１７は、リフレクタ１５の開口端から光出口１４ａに向けて突出しており、このレンズホルダ１７の突出端にレンズ１８が支持されている。
【００２７】
高出力放電ランプ１６は、リフレクタ１５に支持されているとともに、光反射面１５ａで取り囲まれている。高出力放電ランプ１６から放射される光は、光反射面１５ａで反射した後、レンズ１８を透過して入射光学系１０に導かれる。
【００２８】
このような構成のランプモジュール８は、一つのユニットとして分解不能に組み立てられている。そのため、ランプモジュール８は、例えば高出力放電ランプ１６が劣化したり寿命に達した時に、新たなランプモジュール８と交換できるように、筐体２に取り外し可能に固定されている。
【００２９】
以下、このランプモジュール８の固定構造について詳細に説明する。
【００３０】
図４に示すように、ランプモジュール８は、３本のねじ２０を介して筐体２に固定されている。ねじ２０は、締め付け部材の一例であって、ランプハウジング１４の上面１４ｂの方向からランプハウジング１４を貫通して筐体２の底壁にねじ込まれている。ねじ２０の頭部は、夫々ランプハウジング１４の上面１４ｂからランプハウジング１４の外に露出している。
【００３１】
さらに、筐体２の上壁４は、ランプモジュール８に対応する位置に凹部２１を有している。凹部２１の底に開口部２２が形成されている。開口部２２は、ランプモジュール８を筐体２に出し入れするためのものであって、ランプハウジング１４よりも一回り大きな開口形状を有している。開口部２２は、筐体２の幅方向に延びる一対の開口縁２２ａ，２２ｂを含んでいる。開口縁２２ａ，２２ｂは、筐体２の奥行き方向に互いに間隔を存して平行に配置されている。
【００３２】
凹部２１の底に一対のスリット２３ａ，２３ｂが形成されている。一方のスリット２３ａは、開口部２２の一方の開口縁２２ａと直交するように筐体２の奥行き方向に延びているとともに、開口縁２２ａの長さ方向に沿う中間部に位置している。一方のスリット２３ａの一端は、一方の開口縁２２ａに開口している。
【００３３】
他方のスリット２３ｂは、開口部２２の他方の開口縁２２ｂと直交するように筐体２の奥行き方向に延びているとともに、開口縁２２ｂの長さ方向に沿う中間部に位置している。他方のスリット２３ｂの一端は、他方の開口縁２２ｂに開口している。一方のスリット２３ａの一端と他方のスリット２３ｂの一端は、筐体２の奥行き方向に互いに向かい合っている。
【００３４】
開口部２２および一対のスリット２３ａ，２３ｂは、図１に示す外蓋２４によって覆い隠されている。外蓋２４は、凹部２１に取り外し可能に嵌合されて、筐体２の上壁４と同一平面上に位置している。
【００３５】
図２および図４に示すように、ランプハウジング１４の上面１４ｂにハンドル２７が取り付けられている。ハンドル２７は、例えば直径が数mmの一本の金属製線材を予め決められた形状に折り曲げたものであり、グリップ部２８、一対の支持部２９ａ，２９ｂおよび一対の係合部３０ａ，３０ｂを備えている。
【００３６】
グリップ部２８は、第１ないし第３の直線部２８ａ，２８ｂ，２８ｃにより構成されている。第１の直線部２８ａは、ランプハウジング１４の幅方向に延びている。第２の直線部２８ｂは、第１の直線部２８ａの一端から第１の直線部２８ａと直交する方向に延びている。第３の直線部２８ｃは、第１の直線部２８ａの他端から第１の直線部２８ａと直交する方向に延びている。そのため、第２の直線部２８ｂおよび第３の直線部２８ｃは、互いに間隔を存して平行に配置されている。
【００３７】
一方の支持部２９ａは、第２の直線部２８ｂの先端から直角に折り曲げられて、ランプハウジング１４の幅方向に延びている。他方の支持部２９ｂは、第３の直線部２８ｃの先端から直角に折り曲げられて、ランプハウジング１４の幅方向に延びている。そのため、一対の支持部２９ａ，２９ｂは、ランプハウジング１４の幅方向に延びる回動中心線Ｏ１に沿うように同軸状に並んでいるとともに、グリップ部２８に対し互いに逆方向に延びている。
【００３８】
さらに、支持部２９ａ，２９ｂの先端は、ランプハウジング１４の上面１４ｂからランプハウジング１４の側方に張り出している。支持部２９ａ，２９ｂは、夫々延長部３１ａ，３１ｂを有している。延長部３１ａ，３１ｂは、支持部２９ａ，２９ｂの先端から直角に折り曲げられて、グリップ部２８から遠ざかる方向に延びている。
【００３９】
一方の係合部３０ａは、一方の支持部２９ａの延長部３１ａの先端から直角に折り曲げられて、ランプハウジング１４の側方に向けて突出している。他方の係合部３０ｂは、他方の支持部２９ｂの延長部３１ｂの先端から直角に折り曲げられて、ランプハウジング１４の側方に向けて突出している。一対の係合部３０ａ，３０ｂは、ランプハウジング１４を間に挟んで互いに同軸状に配置されている。
【００４０】
このことから、本実施の形態によると、ハンドル２７の支持部２９ａ，２９ｂは、グリップ部２８と係合部３０ａ，３０ｂとの間の中間部に位置している。
【００４１】
図４および図６に示すように、ハンドル２７の支持部２９ａ，２９ｂは、ランプハウジング１４の上面１４ｂから突出する一対のボス部３３に回動可能に支持されている。そのため、ハンドル２７は、上記回動中心線Ｏ１を中心として第１の位置と第２の位置との間で回動可能となっている。
【００４２】
図４および図６は、ハンドル２７が第１の位置に回動した状態を示している。第１の位置では、ハンドル２７のグリップ部２８がランプハウジング１４の上面１４ｂに沿うように倒れ込んでいる。
【００４３】
図５および図７は、ハンドル２７が第２の位置に回動した状態を示している。第２の位置では、ハンドル２７のグリップ部２８がランプハウジング１４の上面１４ｂから突出するように起立している。
【００４４】
さらに、ハンドル２７の係合部３０ａ，３０ｂは、ハンドル２７が第１の位置又は第２の位置のいずれに回動した状態においても、ランプハウジング１４の側方に向けて突出している。
【００４５】
それとともに、ランプモジュール８を筐体２の底壁に固定した状態では、ハンドル２７の支持部２９ａ，２９ｂは、筐体２のスリット２３ａ，２３ｂの間に位置している。言い換えると、筐体２のスリット２３ａ，２３ｂがハンドル２７の回動中心線Ｏ１の延長線上に位置している。
【００４６】
このことから、図４および図６に示すように、ハンドル２７を第１の位置に回動させた状態では、ハンドル２７の係合部３０ａ，３０ｂが延長部３１ａ，３１ｂの長さ分だけスリット２３ａ，２３ｂから外れている。それとともに、ハンドル２７の係合部３０ａ，３０ｂは、筐体２の凹部２１の裏側に入り込んで、凹部２１の底に引っ掛かっている。
【００４７】
図５および図７に示すように、ハンドル２７を第２の位置に回動させた状態では、ハンドル２７の係合部３０ａ，３０ｂがスリット２３ａ，２３ｂの下方に導かれ、このスリット２３ａ，２３ｂを通過可能な状態に保たれている。
【００４８】
さらに、本実施の形態によると、ランプハウジング１４の上面１４ｂに一対の凸部３４が形成されている。凸部３４は、保持部の一例であって、ハンドル２７が第１の位置に回動された時に、グリップ部２８を構成する第１の直線部２８ａが凸部３４の間に嵌合する。この嵌合により、グリップ部２８の第１の直線部２８ａが凸部３４により挟み込まれて、ハンドル２７が第１の位置に保持される。
【００４９】
したがって、ランプモジュール８が筐体２の内部に固定された状態においては、ハンドル２７は第１の位置に保持されて、ランプハウジング１４の上面１４ｂと外蓋２４との間に生じる僅かなスペースに収まっている。
【００５０】
このような構成の投射形表示装置１において、例えば高出力放電ランプ１６の劣化により既存のランプモジュール８を筐体２から取り外す必要が生じた場合には、先ず最初に筐体２の上壁４から外蓋２４を取り外し、開口部２２を露出させる。
【００５１】
次に、開口部２２から露出するねじ２０の頭部にドライバ等の工具を差し込んで、この工具を用いてねじ２０を弛める。ねじ２０を弛めてランプモジュール８から取り外すことで、筐体２に対するランプモジュール８の固定が解除される。
【００５２】
ランプモジュール８の固定が解除された状態においても、ハンドル２７が第１の位置に保持されている限り、ハンドル２７の係合部３０ａ，３０ｂが上壁４の凹部２１の底に引っ掛かっている。そのため、ねじ２０を弛めただけでは、ランプモジュール８を開口部２２から引き出すことはできない。
【００５３】
そこで、ハンドル２７のグリップ部２８を手で掴んで、ハンドル２７を第１の位置から第２の位置に回動させる。この回動により、ハンドル２７の係合部３０ａ，３０ｂが凹部２１の底から離脱してスリット２３ａ，２３ｂの下方に移動する。この結果、係合部３０ａ，３０ｂがスリット２３ａ，２３ｂを通過可能な状態に移行する。
【００５４】
よって、グリップ部２８を掴んでいる手でハンドル２７を引張ると、ハンドル２７の係合部３０ａ，３０ｂがスリット２３ａ，２３ｂを通過する。これにより、ランプモジュール８を開口部２２から筐体２の外に取り出すことができる。
【００５５】
一方、図９は、投射形表示装置１の筐体２を室内の天井４１に吊り下げ金具４２を介して直付けし、光学エンジンブロック７で生成された画像を天井４１の方向からスクリーン４３に投射する形態を開示している。
【００５６】
投射形表示装置１を天井４１から吊り下げた場合、筐体２の向きが上下に反転し、筐体２の開口部２２が下向きとなる。そのため、投射形表示装置１からランプモジュール８を取り外す必要が生じた場合、作業者は、頭の上に手を伸ばして取り外し作業を実行する。
【００５７】
この際、全てのねじ２０を弛めて筐体２に対するランプモジュール８の固定を解除した状態においても、ハンドル２７の係合部３０ａ，３０ｂが筐体２の凹部２１の底に引っ掛かっている。そのため、ランプモジュール８は、ハンドル２７を介して筐体２に保持されており、ランプモジュール８から手を離してもランプモジュール８が筐体２から落下することはない。
【００５８】
筐体２に対するランプモジュール８の保持を解除するには、上記のようにハンドル２７のグリップ部２８を手で握って、ハンドル２７を第１の位置から第２の位置に向けて下向きに回動させる。この回動により、ハンドル２７の係合部３０ａ，３０ｂがスリット２３ａ，２３ｂと合致して、スリット２３ａ，２３ｂを通過可能な状態に移行する。
【００５９】
したがって、グリップ部２８を握った手でハンドル２７を下向きに引張れば、図８に示すようにハンドル２７の係合部３０ａ，３０ｂがスリット２３ａ，２３ｂを通過する。これにより、筐体２に対するランプモジュール８の保持が解除される。
【００６０】
よって、交換すべきランプモジュール８を開口部２２から筐体２の下方に取り出すことができる。
【００６１】
このような投射形表示装置１によれば、ハンドル２７を片方の手で掴んで第１の位置から第２の位置に回動させるだけで、筐体２に対するランプモジュール８の保持を解除する操作およびランプモジュール８を開口部２２から引き出す操作を連続した一つの動作で実行することができる。
【００６２】
このため、筐体２からのランプモジュール８の取り出しを片方の手で容易に行うことができ、作業性が良好となる。
【００６３】
特に、天井４１に直付けされた投射形表示装置１の筐体２からランプモジュール８を取り出す時に、作業者は、筐体２を見上げながら片方の手でランプモジュール８の保持の解除およびランプモジュール８の引き出し動作を連続して行うことができる。そのため、従来のように、両方の手を頭の上に伸ばしてランプモジュール８の取り出しを行うといった、不安定で不自然な作業姿勢を強いられることもなく、ランプモジュール８の取り出し作業を速やかに容易に行うことができる。
【００６４】
しかも、上記構成によると、ハンドル２７がランプモジュ−ル８の落下を防ぐストッパとしての機能を兼用するので、ランプモジュ−ル８の落下を防止するための専用の構成要素が不要となる。そのため、投射形表示装置１の部品点数を削減できるとともに、ランプモジュール８を支持するための構造を簡略化することができ、コストの低減が可能となる。
【００６５】
なお、本発明は上記実施の形態に特定されるものではなく、発明の趣旨を逸脱しない範囲内で種々変形して実施可能である。
【００６６】
例えば、ハンドルをピアノ線のような弾性に富んだ線材で構成し、特にハンドルの係合部にばね性を付与するようにしてもよい。具体的には、筐体の上壁の剛性を高めるとともに、ハンドルを第１の位置に回動させた時に、ハンドルの係合部を上壁に強固に押し付けるようにしてもよい。
【００６７】
この構成によれば、ハンドルの係合部と上壁との接触部に生じる摩擦力により、ランプモジュールを筐体に移動不能に保持することができる。そのため、ねじの本数を減らしたり、あるいはねじを全廃することが可能となり、部品点数の削減に貢献するといった利点がある。
【図面の簡単な説明】
【００６８】
【図１】本発明の実施の形態に係る投射形表示装置の斜視図。
【図２】本発明の実施の形態において、筐体の開口部からランプモジュールが露出された状態を示す投射形表示装置の斜視図。
【図３】本発明の実施の形態において、ランプハウジングの一部およびリフレクタを破断して示すランプモジュールの平面図。
【図４】本発明の実施の形態において、ランプハウジングに支持されたハンドルを第１の位置に回動させた状態を示す平面図。
【図５】本発明の実施の形態において、ランプハウジングに支持されたハンドルを第２の位置に回動させた状態を示す平面図。
【図６】本発明の実施の形態において、第１の位置に保持されたハンドルと筐体のスリットとの相対的な位置関係を概略的に示す斜視図。
【図７】本発明の実施の形態において、ハンドルを第２の位置に回動させた時のハンドルの係合部と筐体のスリットとの相対的な位置関係を概略的に示す斜視図。
【図８】本発明の実施の形態において、ハンドルを第２の位置に回動させて、ランプモジュールを筐体の開口部から引き出した状態を示す斜視図。
【図９】本発明の実施の形態において、投射形表示装置を天井から吊り下げて使用する形態を概略的に示す側面図。
【符号の説明】
【００６９】
２…筐体、７…光学エンジンブロック、８…ランプモジュール、１４…ランプハウジング、１６…光源（高出力放電ランプ）、２２…開口部、２３ａ，２３ｂ…スリット、２７…ハンドル、２８…グリップ部、２９ａ，２９ｂ…支持部、３０ａ，３０ｂ…係合部。
【図１】
2010153233.tif 000003
【図２】
2010153233.tif 000004
【図３】
2010153233.tif 000005
【図４】
2010153233.tif 000006
【図５】
2010153233.tif 000007
【図６】
2010153233.tif 000008
【図７】
2010153233.tif 000009
【図８】
2010153233.tif 000010
【図９】
2010153233.tif 000011